(57)【要約】      （修正有）【課題】個人識別カード押収のリスクを回避し、労働力コストを節約し、常に貸出・返却が可能で、高価な機器の貸出・返却効率が向上し、特定の時間帯に観光地の人通りが多く速やかに貸出・返却手続きできない事態を回避し、スタッフの早い出勤による残業コスト、観光客時間の遅れや予定の遅れを防止する、観光地用ＭＲメガネ貸出機器およびその貸出・返却の操作方法を提供する。【解決手段】機器は一体型貸出機器キャビネットを含み、産業用コンピュータがクラウドサーバ、ユーザモバイル端末とネットワーク接続されて機器状態、ユーザ認証情報、及び貸出・返却の注文決済情報を交換し、表示入力部によってユーザとのマン・マシン・インタラクションを行い、その制御下で、格納部がロッカードアを開閉させ、格納部に産業用コンピュータと収納状態情報を交換する内部収納庫セルフチェック部がある。【選択図】図１
0003234214.tif 000002
【実用新案登録請求の範囲】
【請求項１】
観光地に分布して設置される１台以上の一体型貸出機器キャビネットを含み、前記一体型貸出機器キャビネットは、ＭＲメガネをマスごとに格納するために用いられてネットワーク接続およびマン・マシン・インタラクションの能力を有し、キャビネット、キャビネットに装着されてバスを介して互いに接続される産業用コンピュータ、表示入力部、および１０個以上のマトリックス格子式またはハニカム式の格納部からなり、そのうち、前記産業用コンピュータがクラウドサーバ、ユーザモバイル端末とネットワーク接続されて機器状態、ユーザ認証情報および貸出・返却の注文決済情報を交換し、表示入力部によってユーザとのマン・マシン・インタラクションを行い、その制御下で、格納位置番号を有する一義的に位置決めされる各格納部がロッカードアを開閉させ、各格納部に産業用コンピュータと収納状態情報を交換する内部収納庫セルフチェック部が設けられており、前記内部収納庫セルフチェック部が重量センサおよび光学センサを含む、ことを特徴とする観光地用のＭＲメガネ貸出機器。
【請求項２】
前記一体型貸出機器キャビネットは機器番号を有し、且つ格納部の収納状態情報はペアリングされた機器番号および格納位置番号に基づいてクラウドサーバのデータベースに同期されている、ことを特徴とする請求項１に記載の観光地用のＭＲメガネ貸出機器。
【請求項３】
前記表示入力部は、産業用コンピュータによって互いに接続されるＬＣＤスクリーン、タッチ式キーボード、カメラ、または顔登録および認識のプログラムが予め設定された、カメラモジュール付きのタッチスクリーンである、ことを特徴とする請求項１に記載の観光地用のＭＲメガネ貸出機器。
【請求項４】
前記格納部には産業用コンピュータに信号接続するロッカードアおよびドアロックが設けられ、前記ロッカードアは強化発光ガラス製であり、産業用コンピュータに制御されて貸出・返却の操作状態を発光表示し、前記ドアロックは産業用コンピュータに制御されてロッカードアを開閉させる、ことを特徴とする請求項１に記載の観光地用のＭＲメガネ貸出機器。
【請求項５】
前記ユーザモバイル端末には、クラウドサーバとデータが同期され、ＭＲメガネの貸出時間を照会および視覚的に提示するために用いられるＡｐｐがインストールされる、ことを特徴とする請求項１に記載の観光地用のＭＲメガネ貸出機器。
【請求項６】
請求項１に記載の貸出機器、およびネットワーク接続されるクラウドサーバとユーザモバイル端末によって実現される観光地用ＭＲメガネの貸出・返却の操作方法であって、
ユーザモバイル端末によってインターネットに接続し、オペレータバックグランドで登録して実名認証を完了させ、一体型貸出機器キャビネット内の各格納部の収納状態情報をクラウドサーバによってユーザモバイル端末に同期させ、一体型貸出機器キャビネットの位置決め情報および貸出可能なＭＲメガネの数をユーザに提示する観光客認証ステップと、
ユーザが一体型貸出機器キャビネットの表示入力部によってクラウドサーバへ顔認識要求、貸出注文要求を行い、一体型貸出機器キャビネットが注文を照合して、ユーザがＭＲメガネを取り出せるように１つの格納部を開き、産業用コンピュータが前記格納部の空き信号と注文情報、顔認識結果をデータパケットとし、クラウドサーバに同期させるＭＲメガネ貸出ステップと、
ユーザが表示入力部によって再びクラウドサーバに顔認識要求を行い、クラウドサーバが顔を認識して対応するデータパケットを取り出し、産業用コンピュータによって格納部を開き、ユーザがＭＲメガネを返却した後、内部収納庫セルフチェック部がＭＲメガネ破損の有無を認識し、ＭＲメガネの機能が正常である場合、格納部を閉じ、料金を決済して返却を完了させ、格納部の収納状態情報を更新し、ＭＲメガネが破損した場合、オペレータによる手動処理に進むＭＲメガネ返却ステップと、を含むことを特徴とする、観光地用ＭＲメガネの貸出・返却の操作方法。
【請求項７】
前記ＭＲメガネは格納部の空き信号が生じる時点から計時を開始し、ユーザモバイル端末のＡｐｐはリアルタイムの貸出時間を照会および視覚的に提示し、料金決済に関連する計時終了時点は、対応する格納部内にＭＲメガネが帰還されて、検査により正常であると判断された時点となる、ことを特徴とする請求項６に記載の観光地用ＭＲメガネの貸出・返却の操作方法。
【請求項８】
前記内部収納庫セルフチェック部がＭＲメガネ破損の有無を認識するプロセスは、重量センサおよび光学センサによりＭＲメガネ質量の変化および多次元における外観の変化を判断し、ＭＲメガネ自体を同期してクラウドサーバとの接続を確立することを含む、ことを特徴とする請求項６に記載の観光地用ＭＲメガネの貸出・返却の操作方法。
【請求項９】
前記格納部のロッカードアを強化発光ガラスで製造して産業用コンピュータに信号接続させ、ＭＲメガネ貸出のステップにおいて強化発光ガラスを緑色点灯から緑色点滅、赤色点灯へ順次変化するように駆動し、ＭＲメガネ返却のステップにおいて返却が完了した場合に強化発光ガラスを赤色点灯から赤色点滅、緑色点灯へ順次変化するように駆動する、ことを特徴とする請求項６に記載の観光地用ＭＲメガネの貸出・返却の操作方法。
【考案の詳細な説明】
【技術分野】
【０００１】
本考案は、観光地向けの機器によるセルフ貸出の解決手段に関し、特に人手による運用保守が不要な、ＭＲメガネのセルフ貸出機器およびその貸出・返却の操作方法に関する。
【背景技術】
【０００２】
物質文明および精神文明構築の発展につれて、文化旅行のテーマが数多く提案されて幅広い消費者に宣伝されるようになる。そして、人々は忙しい日常生活や仕事から離れ、休日に旅行をし、気分をリラックスさせるとともに見聞を広めるニーズがある。旅行中に、自然風景の観光でも展覧館の見学でも、観光客が茫然としたり、重要な観光スポットの文化や特徴を見逃したりしないように、ほとんどの場合ガイドによる紹介は必要となる。
【０００３】
従来の観光地でのガイド方法は概して、人間ガイド、貸出用の音声ガイド機器、または現在普及が有意に拡大しているモバイル機器による仮想ガイドがある。ＭＲメガネは仮想ガイドに使用されるものであって、シーンを同期して視覚的に提示する、使いやすい新規スマートツールである。移動中の観光客に影響せず、且つその安全を保証する上で、またシーン内の観光スポットを同期して提示し、様々な形式で紹介するようトリガすることも可能となる。
【０００４】
しかし、このようなスマート機器は高価であり、破損した場合の求償が困難であるため、このような機器の従来の貸出方式には多少弊害が存在する。具体的には、人を雇って台帳を書き、貸出をする際に個人識別カードを押収しまたは高価な保証金を取るような方式では、人的コストが高く、人為的なミスを避けることが困難であり、またＭＲメガネの出し入れ手続きが複雑である。また、個人識別カード認識装置や課金装置などの簡単な装置によって貸出をする方式では、観光地管理側から確認、計時のような機能だけが提供され、ユーザは貸出時間を正確に把握できず、不当な費用徴収が懸念される。さらに、「切替器、貸出回路および返却回路」からなる貸出・返却複合機を用いて貸出をする方式は、映画館など入場時間、終了時間が決まった業務シーンにのみ適用可能であり、自由な貸出・返却の管理機能を同時に満たすことができない。
【考案の概要】
【０００５】
上記従来技術の欠点に鑑み、本考案の目的は観光地用のＭＲメガネ貸出機器およびその貸出・返却の操作方法を提供し、ＭＲメガネセルフ貸出の多方面にわたる適切な制御という問題を解決することである。
【０００６】
上記の一つの目的を達成するための本考案の技術的解決手段は以下のとおりである。観光地用のＭＲメガネ貸出機器であって、観光地に分布して設置される１台以上の一体型貸出機器キャビネットを含み、前記一体型貸出機器キャビネットは、ＭＲメガネをマスごとに格納するために用いられてネットワーク接続およびマン・マシン・インタラクションの能力を有し、キャビネット、キャビネットに装着されてバスを介して互いに接続される産業用コンピュータ、表示入力部、および１０個以上のマトリックス格子式またはハニカム式の格納部からなり、そのうち、前記産業用コンピュータがクラウドサーバ、ユーザモバイル端末とネットワーク接続されて機器状態、ユーザ認証情報および貸出・返却の注文決済情報を交換し、表示入力部によってユーザとのマン・マシン・インタラクションを行い、その制御下で、格納位置番号を有する一義的に位置決めされる各格納部がロッカードアを開閉させ、各格納部に産業用コンピュータと収納状態情報を交換する内部収納庫セルフチェック部が設けられており、前記内部収納庫セルフチェック部が重量センサおよび光学センサを含むことを特徴とする。
【０００７】
さらに、前記一体型貸出機器キャビネットは機器番号を有し、且つ格納部の収納状態情報はペアリングされた機器番号および格納位置番号に基づいてクラウドサーバのデータベースに同期されている。
【０００８】
さらに、前記表示入力部は、産業用コンピュータによって互いに接続されるＬＣＤスクリーン、タッチ式キーボード、カメラ、または顔登録および認識のプログラムが予め設定された、カメラモジュール付きのタッチスクリーンである。
【０００９】
さらに、前記格納部には産業用コンピュータに信号接続するロッカードアおよびドアロックが設けられ、前記ロッカードアは強化発光ガラス製であり、産業用コンピュータに制御されて貸出・返却の操作状態を発光表示し、前記ドアロックは産業用コンピュータに制御されてロッカードアを開閉させる。
【００１０】
さらに、前記ユーザモバイル端末には、クラウドサーバとデータが同期され、ＭＲメガネの貸出時間を照会および視覚的に提示するために用いられるＡｐｐがインストールされる。
【００１１】
上記の他の目的を達成するための本考案の技術的解決手段は以下のとおりである。前述した貸出機器、およびネットワーク接続されるクラウドサーバとユーザモバイル端末によって実現される観光地用ＭＲメガネの貸出・返却の操作方法であって、
ユーザモバイル端末によってインターネットに接続し、オペレータバックグランドで登録して実名認証を完了させ、一体型貸出機器キャビネット内の各格納部の収納状態情報をクラウドサーバによってユーザモバイル端末に同期させ、一体型貸出機器キャビネットの位置決め情報および貸出可能なＭＲメガネの数をユーザに提示する観光客認証ステップと、
ユーザが一体型貸出機器キャビネットの表示入力部によってクラウドサーバへ顔認識要求、貸出注文要求を行い、一体型貸出機器キャビネットが注文を照合して、ユーザがＭＲメガネを取り出せるように１つの格納部を開き、産業用コンピュータが前記格納部の空き信号と注文情報、顔認識結果をデータパケットとし、クラウドサーバに同期させるＭＲメガネ貸出ステップと、
ユーザが表示入力部によって再びクラウドサーバに顔認識要求を行い、クラウドサーバが顔を認識して対応するデータパケットを取り出し、産業用コンピュータによって格納部を開き、ユーザがＭＲメガネを返却した後、内部収納庫セルフチェック部がＭＲメガネ破損の有無を認識し、ＭＲメガネの機能が正常である場合、格納部を閉じ、料金を決済して返却を完了させ、格納部の収納状態情報を更新し、ＭＲメガネが破損した場合、オペレータによる手動処理に進むＭＲメガネ返却ステップと、を含むことを特徴とする。
【００１２】
さらに、前記ＭＲメガネは格納部の空き信号が生じる時点から計時を開始し、ユーザモバイル端末のＡｐｐはリアルタイムの貸出時間を照会および視覚的に提示し、料金決済に関連する計時終了時点は、対応する格納部内にＭＲメガネが帰還されて、検査により正常であると判断された時点となる。
【００１３】
さらに、前記内部収納庫セルフチェック部がＭＲメガネ破損の有無を認識するプロセスは、重量センサおよび光学センサによりＭＲメガネ質量の変化および多次元における外観の変化を判断し、ＭＲメガネ自体を同期してクラウドサーバとの接続を確立することを含む。
【００１４】
さらに、前記格納部のロッカードアを強化発光ガラスで製造して産業用コンピュータに信号接続させ、ＭＲメガネ貸出のステップにおいて強化発光ガラスを緑色点灯から緑色点滅、赤色点灯へ順次変化するように駆動し、ＭＲメガネ返却のステップにおいて返却が完了した場合に強化発光ガラスを赤色点灯から赤色点滅、緑色点灯へ順次変化するように駆動する。
【００１５】
本考案の観光地用ＭＲメガネ貸出の技術的解決手段は、突出した実質的特徴および顕著な進歩性を有する。まず、人手による古い管理方式の弊害を解決し、高価機器貸出時のユーザ識別カードの押収による個人情報漏洩のリスクを低減するとともに、観光地の管理を規範化し、労働力コストを節約することができる。次に、ユーザはモバイル端末で貸出した機器の使用状態および使用時間を確認できるようになる。また、いつでも貸出および返却が可能であり、高価な機器の貸出・返却効率を向上させ、特定の時間帯に観光地の人通りが多くて貸出・返却の手続きを速やかに完了できない事態を回避し、さらに、スタッフの早い出勤による残業コスト、または返却の不順調による観光客時間の遅れやスケジュールの遅れを防止する。
【図面の簡単な説明】
【００１６】
【図１】本考案の観光地用のＭＲメガネ貸出機器の階層的構造模式図である。
【考案を実施するための形態】
【００１７】
以下、本考案の技術的解決手段をより理解・把握しやすくし、本考案の保護範囲をより明確に規定するように、図面を参照しながら本考案の具体的な実施形態をさらに詳細に説明する。
【００１８】
従来の観光地用ＭＲメガネの貸出方法が古く、弊害および隠れたリスクが多く存在するという客観的問題に鑑み、本願の設計者はスマート端末およびシーン再生機器開発における長年の技術的経験を生かし、観光地用のＭＲメガネ貸出機器およびその貸出・返却の操作方法を革新的に提案し、モノのインターネット技術を画期的に観光地ガイドツールの運用保守に適用する。
【００１９】
本考案の一部は観光地用のＭＲメガネ貸出機器に関し、概説するとそのハードウェア特徴は図１に示すとおりである。観光地に分布して設置される１台以上の一体型貸出機器キャビネットを含み、該一体型貸出機器キャビネットは、ＭＲメガネをマスごとに格納するために用いられてネットワーク接続およびマン・マシン・インタラクションの能力を有し、キャビネット、キャビネットに装着されるバスを介して互いに接続される産業用コンピュータ、表示入力部、および１０個以上の格納部からなり、そのうち、産業用コンピュータがクラウドサーバ、ユーザモバイル端末とネットワーク接続されて機器状態、ユーザ認証情報および貸出・返却の注文決済情報を交換し、表示入力部によってユーザとのマン・マシン・インタラクションを行い、その制御下で、格納位置番号を有する一義的に位置決めされる各格納部はロッカードアを開閉させ、各格納部に産業用コンピュータと収納状態情報を交換する内部収納庫セルフチェック部が設けられている。
【００２０】
上記概説した特徴の理解を容易にするために、以下具体的に補足説明する。周知のように、通常、観光地の面積が大きく、観光客にとって観光地入口と観光地出口が遠くに離れている。このため、帰りは同じ道を戻ることや回り道をして観光地入口に戻ることはほとんどない。ＭＲメガネが使用されている観光地では、従来のやり方で、人手で台帳を書き、重要書類を押収すると、当然に、観光客の機器使用の熱意が削がれてしまい、現代技術による観光体感ができなくなる。このことにも鑑みた結果、実際の観光地シーンでは、該貸出機器は、観光地の入口、出口に対して分布設置される複数台の一体型貸出機器キャビネットが配設される。どんな観光地においても、該一体型貸出機器キャビネットは全てクラウドサーバにインターネット接続されてワーキンググループとなり、各一体型貸出機器キャビネットの機器状態およびユーザ認証情報が同期共有される。
【００２１】
いずれか１台の一体型貸出機器キャビネットにおいて、そのキャビネットはＭＲメガネのような機器を風、雨、日光、盗難から保護する基礎ハウジングであり、また各格納部に空間的支持力を与える。該キャビネットに装着される産業用コンピュータ、表示入力部および数十個の格納部は対象別に、対応する機能を果たすために用いられる。当然、貸出機器のマスターコアとしての産業用コンピュータは、現在主流の一体型超微小電気機械であってもよく、演算処理の要求に応じてハードウェアの強度を自由に設定することができ、主としてアップリンクではクラウドサーバとの通信や、機器状態、ユーザ認証情報、および大量の貸出・返却の注文決済情報の交換を満たし、ダウンリンクでは各格納部の開閉制御およびマン・マシン・インタラクション認証の制御等を満たすようにする。表示入力部は主にマン・マシン・インタラクションを実現させ、顔認識による本人確認を行い、貸出・返却動作の操作性をサポートするために用いられ、そのハードウェアの実施形態は多様である。同様に、各一体型貸出機器キャビネットにおいて、その格納部はそれぞれ格納位置番号を有し、且つ互いに一義的に位置決めされて特定の空間的配置を有しており、各格納部には１つのＭＲメガネのみが格納され、ユーザが貸出したいずれのＭＲメガネも貸出機器において一体型貸出機器キャビネット、格納部に対応する専用位置を有するが、貸出・返却の際にこの専用位置が変化し、最新のクラウドサーバに更新される。該貸出機器のセルフ性能から考慮すると、その都度格納部に返却された、必ず本収納庫から貸出したとは限らないＭＲメガネに対して、格納部は外観破損、部品損失による重量減少等が含まれる状況について、高い一致性で検出を行う必要があるため、該内部収納庫セルフチェック部は人手不要な貸出機器稼働に必要なハードウェア構成となる。
【００２２】
なお、該一体型貸出機器キャビネットは構造的にも機能的にも宅配ボックス、野菜宅配ボックス、スーパーのロッカーと同質性を有するように見えるが、本考案は該スマートロッカーを特定の観光地シーンに適用し、且つ貸出・返却操作の制御方式を機能的に一層改善した。したがって、該貸出機器は従来の汎用されるスマートロッカーを機械的に援用したものではない。
【００２３】
さらに細分化された実施形態によると、該一体型貸出機器キャビネットは複数台あるため、格納部の認識とデータベースの管理や制御を容易にするために、各一体型貸出機は機器番号が付けられ、且つ格納部の収納状態情報はペアリングされた機器番号および格納位置番号に基づいてクラウドサーバのデータベースに同期されており、これによりユーザモバイル端末ではいつどこでも格納部の収納状態情報を照会して正確に位置決めすることができるようになる。
【００２４】
マン・マシン・インタラクションの基礎となる重要なハードウェアとして、該表示入力部は、視覚化されたグラフィックインタフェースの提示、観光客（ユーザ）向けの入力操作の提供およびユーザ姿、表情の収集等の基礎機能を満たし、ユーザと産業用コンピュータとの間の情報交換を実現しなければならない。実施時、それぞれ独立の機能を有する各デバイスを組み合わせることが考えられ、表示入力部は、産業用コンピュータによって互いに接続されるＬＣＤスクリーン、タッチ式キーボード、カメラであってもよく、それぞれの部分は独自定義の機能を有するが、統合して最適化された後マン・マシン・インタラクションを確実に実現することができる。同様に、従来の汎用される多機能集積の複合機の実施形態を取ることもでき、該表示入力部は、顔登録および認識のプログラムが予め設定されたカメラモジュール付きのタッチスクリーンであってもよく、該機能プログラムおよびそのハードウェア要求は従来の確立された技術に属し、一体型平面パネルを用いれば実現できる。
【００２５】
該ＭＲメガネ製品が占める空間が狭いため、１台の一体型貸出機器キャビネットで大規模ユーザの貸出ニーズを満たすことができる。一方、空間の利用率を十分に向上させるために、該一体型貸出機器キャビネットにはマトリックス格子式またはハニカム式の格納部が設けられ、各格納部内の内部収納庫セルフチェック部は重量センサおよび光学センサを含む。そのうち、重量センサはＭＲメガネの部品損失による重量減少の有無を検出し、光学センサはＭＲメガネの多次元における外観の完全性を検出する。また、該格納部には産業用コンピュータに信号接続するロッカードアおよびドアロックが設けられ、該ロッカードアは強化発光ガラス製であり、産業用コンピュータに制御されて貸出・返却の操作状態を発光表示し、ここの状態は、異なる色または表示方式を設定して区別することができる。該ドアロックは産業用コンピュータに制御されてロッカードアを開閉させるもので、電磁制御スイッチまたは電気制御による機械スイッチ等であってもよい。
【００２６】
また、上記ユーザモバイル端末には観光地運営のために開発された専用のＡｐｐがインストールされ、Ａｐｐはクラウドサーバとデータが同期され、ＭＲメガネの貸出時間を照会および視覚的に提示するために用いられる。該Ａｐｐの開発は従来の様々なアプリケーション・プログラム、アプレットの開発に類似する。観光地の名称、代表的な広報画面、明快なマン・マシン・インタフェースおよび入出力インタフェースを関連付けるとともに、ユーザモバイル端末によりクラウドサーバのデータを同期取得して全てＡｐｐに呼び出すような、ヒューマニゼーションの設計はより受け入れられやすい。
【００２７】
本考案の別の部分は観光地用ＭＲメガネの貸出・返却の操作方法に関し、概説するとそのステップの特徴は以下を含む。まず観光客の認証を行い、ユーザモバイル端末によってインターネットに接続し、オペレータバックグランドで登録して実名認証を完了させ、一体型貸出機器キャビネット内の各格納部の収納状態情報をクラウドサーバによってユーザモバイル端末に同期させ、一体型貸出機器キャビネットの位置決め情報および貸出可能なＭＲメガネの数をユーザに提示する。該ステップの説明から分かるように、該貸出・返却の操作方法はユーザの識別カードを押収せず、モバイル端末による実名認証という既に確立された従来技術を転用し、操作が便利で、トラブルの懸念が大幅に解消され、また、これにより該貸出・返却の操作方法の具体的な新規性が損なわれるものではない。
【００２８】
次に、より直観的な実施シーンから見ると、ＭＲメガネ貸出ステップでは、ユーザが一体型貸出機器キャビネットの表示入力部によってクラウドサーバへ顔認識要求、貸出注文要求を行い、一体型貸出機器キャビネットが注文を照合して、ユーザがＭＲメガネを取り出せるように１つの格納部を開き、産業用コンピュータが前記格納部の空き信号と注文情報、顔認識結果をデータパケットとし、クラウドサーバに同期させる。該プロセスでは、料金決済が直接トリガされず、該ＭＲメガネ貸出の計時開始時点がバックグラウンドで記録されるだけであり、クラウドサーバおよび一体型貸出機器キャビネットの状態表示においても、対応する格納部が空きで、その中のＭＲメガネが貸出されることだけが表示される。ユーザはＭＲメガネを取り出した後、自由に使用し、適切に保管することができる。該ＭＲメガネは格納部の空き信号が生じる時点から計時を開始し、ユーザモバイル端末のＡｐｐはリアルタイムの貸出時間を照会および視覚的に提示する。
【００２９】
ＭＲメガネ返却ステップでは、ユーザが表示入力部によって再びクラウドサーバに顔認識要求を行い、クラウドサーバが顔を認識して対応するデータパケットを取り出し、産業用コンピュータによって格納部を開き、ユーザがＭＲメガネを返却した後、内部収納庫セルフチェック部がＭＲメガネ破損の有無を認識し、ＭＲメガネの機能が正常である場合、格納部を閉じ、料金を決済して返却を完了させ、格納部の収納状態情報を更新し、ＭＲメガネが破損した場合、オペレータによる手動処理に進み、このように、貸出・返却の全フローを完了するまで進行する。貸出から返却まで、該ＭＲメガネが完全無欠で、品質に変化がない理想的な状態の場合、料金決済に関連する計時終了時点は、対応する格納部内にＭＲメガネが帰還されて、検査により正常であると判断された時点となる。オペレータによる手動処理は比較的複雑で、本考案で解決できる範囲内のものではなく、よって詳細な説明を省略する。
【００３０】
前記ＭＲメガネが返却されて収納庫に収納された後、内部収納庫セルフチェック部がＭＲメガネ破損の有無を認識するプロセスは、重量センサおよび光学センサによりＭＲメガネ質量の変化および多次元における外観の変化を判断し、ＭＲメガネ自体を同期してクラウドサーバとの接続を確立することを含む。前述した重量および外観の両方のセルフチェックに加えて、格納部にある該ＭＲメガネは並行してクラウドサーバとの接続を確立し、ソフトウェア検出を遠隔オンラインで実施し、観光スポット紹介の不意な削除またはそれによる機器自体機能の喪失等を防止することができる。
【００３１】
別の態様では、該格納部のロッカードアを強化発光ガラスで製造して産業用コンピュータに信号接続させ、ＭＲメガネ貸出のステップにおいて強化発光ガラスを緑色点灯から緑色点滅、赤色点灯へ順次変化するように駆動し、ＭＲメガネ返却のステップにおいて返却が完了した場合に強化発光ガラスを赤色点灯から赤色点滅、緑色点灯へ順次変化するように駆動する。ここで、産業用コンピュータに予め設定されたプログラムによって、貸出・返却の異なる状態におけるロッカードア開閉と表示方式との間のカスタム関係を設定、確立することができる。
【００３２】
以上、本考案の観光地用ＭＲメガネ貸出の技術的解決手段の特徴および実施例を詳細に説明したが、該技術的解決手段は突出した実質的特徴および顕著な進歩性を有する。まず、人手による古い管理方式の弊害を解決し、高価機器貸出時のユーザ識別カードの押収による個人情報漏洩のリスクを低減するとともに、観光地の管理を規範化し、労働力コストを節約することができる。次に、ユーザはモバイル端末で貸出した機器の使用状態および使用時間を確認できるようになる。また、いつでも貸出および返却が可能であり、高価な機器の貸出・返却効率を向上させ、特定の時間帯に観光地の人通りが多くて貸出・返却の手続きを速やかに完了できない事態を回避し、さらに、スタッフの早い出勤による残業コスト、または返却の不順調による観光客時間の遅れやスケジュールの遅れを防止する。
【００３３】
上記実施例以外に、本考案はさらに他の実施形態も可能であり、同等な取替または等価な変換による技術的解決手段は、いずれも本考案が請求している保護範囲に含まれる。
【図１】
0003234214.tif 000003
【手続補正書】
【提出日】令和2年11月11日(2020.11.11)
【手続補正１】
【補正対象書類名】実用新案登録請求の範囲
【補正対象項目名】全文
【補正方法】変更
【補正の内容】
【実用新案登録請求の範囲】
【請求項１】
観光地に分布して設置される１台以上の一体型貸出機器キャビネットを含み、前記一体型貸出機器キャビネットは、ＭＲメガネをマスごとに格納するために用いられてネットワーク接続およびマン・マシン・インタラクションの能力を有し、キャビネット、キャビネットに装着されてバスを介して互いに接続される産業用コンピュータ、表示入力部、および１０個以上のマトリックス格子式またはハニカム式の格納部からなり、そのうち、前記産業用コンピュータがクラウドサーバ、ユーザモバイル端末とネットワーク接続されて機器状態、ユーザ認証情報および貸出・返却の注文決済情報を交換し、表示入力部によってユーザとのマン・マシン・インタラクションを行い、その制御下で、格納位置番号を有する一義的に位置決めされる各格納部がロッカードアを開閉させ、各格納部に産業用コンピュータと収納状態情報を交換する内部収納庫セルフチェック部が設けられており、前記内部収納庫セルフチェック部が重量センサおよび光学センサを含む、ことを特徴とする観光地用のＭＲメガネ貸出機器。
【請求項２】
前記一体型貸出機器キャビネットは機器番号を有し、且つ格納部の収納状態情報はペアリングされた機器番号および格納位置番号に基づいてクラウドサーバのデータベースに同期されている、ことを特徴とする請求項１に記載の観光地用のＭＲメガネ貸出機器。
【請求項３】
前記表示入力部は、産業用コンピュータによって互いに接続されるＬＣＤスクリーン、タッチ式キーボード、カメラ、または顔登録および認識のプログラムが予め設定された、カメラモジュール付きのタッチスクリーンである、ことを特徴とする請求項１に記載の観光地用のＭＲメガネ貸出機器。
【請求項４】
前記格納部には産業用コンピュータに信号接続するロッカードアおよびドアロックが設けられ、前記ロッカードアは強化発光ガラス製であり、産業用コンピュータに制御されて貸出・返却の操作状態を発光表示し、前記ドアロックは産業用コンピュータに制御されてロッカードアを開閉させる、ことを特徴とする請求項１に記載の観光地用のＭＲメガネ貸出機器。
【請求項５】
前記ユーザモバイル端末には、クラウドサーバとデータが同期され、ＭＲメガネの貸出時間を照会および視覚的に提示するために用いられるＡｐｐがインストールされる、ことを特徴とする請求項１に記載の観光地用のＭＲメガネ貸出機器。